(57)【要約】【課題】簡易な構成でありながら、装置異常を防止できるようにする。【解決手段】入金部３が待機状態のときには、ビルプレス２１をピックアップローラ２０に押し付けることにより、投入口３Ａがほぼ閉じるように、投入口３Ａを狭くする。こうすることで、入金取引を行っていない待機時に、投入口３Ａから入金部３内に異物が進入することを防ぐことができ、かくして簡易な構成でありながら、異物の進入による装置異常を防ぐことができる。【選択図】図７
2014238785.tif 000002
【特許請求の範囲】
【請求項１】
媒体の投入口となる開口を有し、当該投入口から投入された媒体を収納する収納部と、
上記収納部内の一端側の壁部と他端側の壁部との間を移動可能で、上記投入口から投入された媒体を、上記収納部の他端側の壁部に押し当てる媒体プレス部と
を有し、
上記投入口は、上記収納部の他端側の壁部と上記媒体プレス部との間の開口でなり、
上記投入口から投入された媒体は、上記収納部の他端側の壁部と上記媒体プレス部との間の媒体収納領域に収納され、
媒体を上記投入口から投入させる媒体投入時には、上記媒体プレス部を、第１の位置に位置させ、
待機時には、上記投入口の大きさが上記媒体投入時よりも狭くなるように、上記媒体プレス部を上記第１の位置よりも上記収納部内の他端側に位置する第２の位置に位置させる
媒体処理装置。
【請求項２】
上記収納部の他端側の壁部には、上記投入口から上記媒体収納領域に投入された媒体を当該収納部の他端側に設けられた取込口へと送る為のピックアップローラが設けられ、
上記媒体プレス部は、
上記投入口から上記媒体収納領域に媒体が投入されると、上記第１の位置から上記収納部の他端側に移動することにより、投入された媒体を上記収納部の他端側の壁部に設けられた上記ピックアップローラに押し当て、
上記ピックアップローラは、所定方向に回転することにより、上記媒体プレスによって押し当てられている媒体を上記取込口へと送る
請求項１に記載の媒体処理装置。
【請求項３】
上記媒体収納領域に投入された媒体の全てを上記取込口から取り込み終えた後、
上記媒体プレス部を上記第２の位置に移動させて待機する
請求項２に記載の媒体処理装置。
【請求項４】
上記媒体収納領域に投入された媒体の全てを上記取込口から取り込み終えた後、上記媒体プレス部を、上記ピックアップローラと接触しない第３の位置に移動させて、上記ピックアップローラを、媒体の取込時に最適な回転位置に回転させ、
その後、上記媒体プレス部を上記第２の位置に移動させて待機する
請求項３に記載の媒体処理装置。
【請求項５】
上記媒体プレス部の上記第１の位置は、
上記投入口を全開する位置である
請求項１に記載の媒体処理装置。
【請求項６】
上記媒体プレス部の上記第２の位置は、
上記媒体プレス部を上記ピックアップローラに接触させる位置である
請求項２に記載の媒体処理装置。
【請求項７】
上記収納部は、上記投入口から取り出させる媒体を集積する集積部でもあり、上記取込口から上記媒体収納領域内に繰り出される媒体を集積し、
上記媒体収納領域内に集積した媒体を上記投入口から取り出させる媒体取出時には、上記媒体プレス部を、上記第２の位置よりも上記収納部内の一端側に位置する第４の位置に位置させ、
待機時には、上記投入口の大きさが上記媒体取出時よりも狭くなるように、上記媒体プレス部を上記第２の位置に位置させる
請求項２に記載の媒体処理装置。
【請求項８】
上記媒体収納領域に集積した媒体の全てが上記投入口から取り出された後、上記媒体プレス部を上記第２の位置に移動させて待機する
請求項７に記載の媒体処理装置。
【請求項９】
上記媒体収納領域に集積した媒体の全てが上記投入口から取り出された後、上記ピックアップローラを、媒体の取込時に最適な回転位置に回転させ、
その後、上記媒体プレス部を上記第２の位置に移動させて待機する
請求項８に記載の媒体処理装置。
【請求項１０】
上記媒体プレス部と、上記収納部の一端側の壁部との間を覆うシャッタを
有する請求項１に記載の媒体処理装置。
【発明の詳細な説明】
【技術分野】
【０００１】
本発明は、媒体処理装置に関し、例えば、媒体として紙幣を扱う紙幣処理装置に適用して好適なものである。
【背景技術】
【０００２】
従来、紙幣処理装置には、図３０に示すような入金部２００が設けられている。この入金部２００は、上面が開口している箱型の収納部２００Ａを有していて、この収納部２００Ａの開口の一部が紙幣の投入口２００Ｂとなっている。
【０００３】
また収納部２００Ａの底には、その一端側（例えば後端側）に、収納部２００Ａ内に投入された紙幣の取込口２００Ｃが設けられている。尚、ここで言う後端側とは、紙幣処理装置の正面から見て奥側のことである。
【０００４】
さらに、入金部２００には、収納部２００Ａの後壁から一部が突出するようにしてピックアップローラ２０１が設けられている。
【０００５】
さらに、入金部２００には、収納部２００Ａの後壁と平行な状態で、収納部２００Ａ内を前後方向にスライド可能な板状のビルプレス２０２が設けられている。このビルプレス２０２と収納部２００Ａの後壁との間の部分の開口が投入口２００Ｂとなっている。
【０００６】
さらに、取込口２００Ｃの下方近傍には、フィードローラ２０３とゲートローラ２０４とが前後方向に対向配置されている。
【０００７】
さらに、この入金部２００の上側には、投入口２００Ｂを露出させる方向及び覆う方向にスライド可能なシャッタ２０５が設けられている。
【０００８】
従来の紙幣処理装置は、このような入金部２００を有していて、入金取引時、図３１に示すように、シャッタ２０５を開けて入金部２００の投入口２００Ｂを露出させる。
【０００９】
尚、紙幣処理装置は、投入口２００Ｂに紙幣を投入し易いように、シャッタ２０５を開ける前に、ビルプレス２０２を収納部２００Ａの前壁近傍の所定位置（これを入金開始スライド位置とも呼ぶ）に位置させ、投入口２００Ｂを全開（もしくはほぼ全開）するようになっている。
【００１０】
ここで、図３１に示すように、使用者が、投入口２００Ｂから、ビルプレス２０２と収納部２００Ａの後壁との間の領域（これを紙幣収納領域とも呼ぶ）Ａｒ１０内に紙幣ＢＬを投入したとする。
【００１１】
すると、紙幣処理装置は、図３２に示すように、シャッタ２０５を閉じて入金部２００の投入口２００Ｂを覆い、ビルプレス２０２を収納部２００Ａの後壁へ近づける方向（この方向を、以下、閉方向と呼ぶ）にスライドさせる。
【００１２】
そして、紙幣処理装置は、紙幣ＢＬをビルプレス２０２によってピックアップローラ２０１に押し付けると共に、ビルプレス２０２とピックアップローラ２０１との間で挟持する。
【００１３】
さらに、紙幣処理装置は、図３３に示すように、ピックアップローラ２０１とフィードローラ２０３とを同期させて図中時計周りに回転させることにより、ピックアップローラ２０１に押し付けられた紙幣ＢＬを下方の取込口２００Ｃへと繰り出す。
【００１４】
このようにして取込口２００Ｃへと繰り出された紙幣ＢＬは、フィードローラ２０３とゲートローラ２０４により１枚ずつ分離され、取込口２００Ｃから紙幣処理装置内へと取り込まれる。
【００１５】
紙幣処理装置は、このようにして入金部２００に投入された紙幣ＢＬを１枚ずつ取り込んでいくようになっている（例えば特許文献１参照）。
【００１６】
そして、図３４に示すように、入金部２００に投入された紙幣ＢＬの全てを取り込み終えると、紙幣処理装置は、図３５に示すように、シャッタ２０５を閉じたまま、ビルプレス２０２を再び入金開始スライド位置までスライドさせ、次の取引を待つ待機状態となる。
【先行技術文献】
【特許文献】
【００１７】
【特許文献１】特開２０１１−８４１２公報
【発明の概要】
【発明が解決しようとする課題】
【００１８】
ところで、部品点数の削減及びコストの削減などの為、入金部２００にシャッタ２０５を設けていない紙幣処理装置も存在する。
【００１９】
ここで、図３６に、シャッタ２０５が無い入金部２００を示す。この入金部２００の場合、待機状態のときに、入金部２００の投入口２００Ｂを覆うものが無いため、投入口２００Ｂが全開した状態で露出する。
【００２０】
このように、待機状態のときに、投入口２００Ｂが全開した状態で露出していると、図３７に示すように、投入口２００Ｂから紙幣収納領域Ａｒ１０内へ硬貨などの異物２１０が進入してしまう恐れがある。
【００２１】
そして、実際に、図３８に示すように、紙幣収納領域Ａｒ１０内に異物２１０が入りこんだまま、使用者がこのことに気付かずに、次の取引を行ってしまうと、異物２１０が取込口２００Ｃからフィードローラ２０３とゲートローラ２０４の間に入り込んでしまう可能性がある。
【００２２】
この結果、入金部２００に投入された紙幣の分離ができなかったり、フィードローラ２０３とゲートローラ２０４が破損したりするなどの装置異状を引き起こすことになる。
【００２３】
本発明は以上の点を考慮したもので、簡易な構成でありながら、装置異状を防止し得る媒体処理装置を提案しようとするものである。
【課題を解決するための手段】
【００２４】
かかる課題を解決するため本発明の媒体処理装置においては、媒体の投入口となる開口を有し、当該投入口から投入された媒体を収納する収納部と、収納部内の一端側の壁部と他端側の壁部との間を移動可能で、投入口から投入された媒体を、収納部の他端側の壁部に押し当てる媒体プレス部とを有し、投入口は、収納部の他端側の壁部と媒体プレス部との間の開口でなり、投入口から投入された媒体は、収納部の他端側の壁部と媒体プレス部との間の媒体収納領域に収納され、媒体を投入口から投入させる媒体投入時には、媒体プレス部を、第１の位置に位置させ、待機時には、投入口の大きさが媒体投入時よりも狭くなるように、媒体プレス部を第１の位置よりも収納部内の他端側に位置する第２の位置に位置させるようにした。
【００２５】
このように、待機時には、投入口の大きさが媒体投入時よりも狭くなるように媒体プレス部を位置させるようにした。こうすることで、投入口を覆うシャッタがなくとも、待機時に、投入口から収納部内への異物の進入を防ぐことができる。
【発明の効果】
【００２６】
本発明によれば、投入口を覆うシャッタがなくとも、待機時に、投入口から収納部内への異物の進入を防ぐことができ、かくして簡易な構成でありながら、異物の進入による装置異状を防止し得る媒体処理装置を実現できる。
【図面の簡単な説明】
【００２７】
【図１】紙幣処理装置の外観構成を示す略線図である。
【図２】第１の実施の形態における紙幣処理装置の内部構成を示す略線図である。
【図３】第１の実施の形態における入金部の構成（１）を示す略線図である。
【図４】第１の実施の形態における入金部の構成（２）を示す略線図である。
【図５】第１の実施の形態における連結部の構成（１）を示す略線図である。
【図６】第１の実施の形態における連結部の構成（２）を示す略線図である。
【図７】入金部の動作（待機状態）の説明にともなう略線図である。
【図８】入金部の動作（入金取引開始時）の説明にともなう略線図である。
【図９】入金部の動作（紙幣の投入）の説明にともなう略線図である。
【図１０】入金部の動作（紙幣の押し付け）の説明にともなう略線図である。
【図１１】ビルプレスが傾く様子の説明にともなう略線図である。
【図１２】入金部の動作（紙幣の取り込み）の説明にともなう略線図である。
【図１３】入金部の動作（取込完了時）の説明にともなう略線図である。
【図１４】入金部の動作（ビルプレスを退避）の説明にともなう略線図である。
【図１５】入金部の動作（ピックアップローラの位置合わせ）の説明にともなう略線図である。
【図１６】入金部の動作（待機状態に戻る）の説明にともなう略線図である。
【図１７】第２の実施の形態における紙幣処理装置の内部構成を示す略線図である。
【図１８】第２の実施の形態における入出金部の構成を示す略線図である。
【図１９】入出金部の出金動作（待機状態）の説明にともなう略線図である。
【図２０】入出金部の出金動作（出金取引開始時）の説明にともなう略線図である。
【図２１】入出金部の出金動作（紙幣の集積）の説明にともなう略線図である。
【図２２】入出金部の出金動作（紙幣の取り出し）の説明にともなう略線図である。
【図２３】入出金部の出金動作（ピックアップローラの位置合わせ）の説明にともなう略線図である。
【図２４】入出金部の出金動作（待機状態に戻る）の説明にともなう略線図である。
【図２５】他の実施の形態における入金部の構成（１）を示す略線図である。
【図２６】他の実施の形態における入金部の構成（２）を示す略線図である。
【図２７】他の実施の形態における入金部の構成（３）を示す略線図である。
【図２８】他の実施の形態における連結部の構成を示す略線図である。
【図２９】他の実施の形態における入金部の構成（４）を示す略線図である。
【図３０】従来の入金部の構成（シャッタ有）を示す略線図である。
【図３１】従来の入金部の動作（１）を示す略線図である。
【図３２】従来の入金部の動作（２）を示す略線図である。
【図３３】従来の入金部の動作（３）を示す略線図である。
【図３４】従来の入金部の動作（４）を示す略線図である。
【図３５】従来の入金部の動作（５）を示す略線図である。
【図３６】従来の入金部の構成（シャッタ無）を示す略線図である。
【図３７】紙幣収納領域内へ異物が進入する様子の説明にともなう略線図である。
【図３８】取込口へ異物が進入する様子の説明にともなう略線図である。
【発明を実施するための形態】
【００２８】
以下、発明を実施するための形態について、図面を用いて詳細に説明する。
【００２９】
［１．第１の実施の形態］
［１−１．紙幣処理装置の外観構成］
まず第１の実施の形態について説明する。図１に、紙幣処理装置１の外観構成を示す。この紙幣処理装置１は、金融機関の職員（例えば受付窓口員）が操作する職員操作型端末であり、職員の操作に基づいて紙幣の入出金処理を行うようになっている。
【００３０】
尚、以下の説明では、紙幣処理装置１の正面から見て左側を紙幣処理装置１の左側、紙幣処理装置１の正面から見て右側を紙幣処理装置１の右側とする。
【００３１】
また、紙幣処理装置１の左側から右側への方向を右方向、紙幣処理装置１の右側から左側への方向を左方向、紙幣処理装置１の下側から上側への方向を上方向、紙幣処理装置１の上側から下側への方向を下方向、紙幣処理装置１の奥側から手前側への方向を前方向、紙幣処理装置１の手前側から奥側への方向を後ろ方向とする。
【００３２】
この紙幣処理装置１は、筐体２の上端部に、入金部３（図２参照）の投入口３Ａ、出金部４（図２参照）の排出口４Ａ、表示部５、及び操作部６が設けられている。
【００３３】
入金部３は、職員により投入口３Ａから入金紙幣が投入されると、これを１枚ずつ分離して紙幣処理装置１内に取り込んでいくようになっている。
【００３４】
出金部４は、出金紙幣を集積して、これを排出口４Ａから職員に取り出させるようになっている。
【００３５】
表示部５は、例えば液晶ディスプレイでなり、メニュー画面、各種処理の結果画面などを表示する。操作部６は、例えばボタンでなり、紙幣処理装置１に対する操作を受け付ける。
【００３６】
尚、紙幣処理装置１では、表示部５と操作部６とを別々に設けているが、例えばタッチパネル付き液晶ディスプレイなどを利用して、表示部５と操作部６とを一体に設けるようにしてもよい。
【００３７】
さらにこの紙幣処理装置１は、図示していないが、ネットワークを介して金融機関の端末やホストコンピュータと通信でき、端末やホストコンピュータとの間で各種情報を送受したり、端末側から操作したりできるようにもなっている。
【００３８】
［１−２．紙幣処理装置の内部構成］
次に、図２を用いて、紙幣処理装置１の内部構成について説明する。
【００３９】
紙幣処理装置１の筐体２内には、上述した入金部３、出金部４にくわえて、鑑別部１０、一時保留部１１、紙幣収納庫１２Ａ〜１２Ｅ、リジェクト庫１３及び搬送路１４が設けられて入る。
【００４０】
具体的には、筐体２内の上部に、入金部３が後側、出金部４が前側となるように、これら入金部３と出金部４とが前後方向に並べて設けられている。
【００４１】
また、出金部４の下方には、一時保留部１１が設けられ、この一時保留部１１より後方で、且つ入金部３の後方ななめ下には、鑑別部１０が設けられている。
【００４２】
さらに、筐体２内の下部には、紙幣収納庫１２Ａ〜１２Ｅが前後方向に並べて設けられている。
【００４３】
さらに、一番手前側に位置する紙幣収納庫１２Ａの下には、リジェクト庫１３が設けられている。
【００４４】
さらに、筐体２内には、これら入金部３、出金部４、鑑別部１０、一時保留部１１、紙幣収納庫１２Ａ〜１２Ｅ及びリジェクト庫１３の各部を繋ぐ搬送路１４が設けられている。
【００４５】
入金部３は、上面が開口している箱型の収納部３Ｂを有している。この収納部３Ｂの開口の一部が上述した投入口３Ａとなる。この入金部３は、入金取引時に、職員によって投入口３Ａから収納部３Ｂ内に投入された入金紙幣を１枚ずつ分離して紙幣処理装置１内に取り込んでいくようになっている。
【００４６】
また、この入金部３は、収納部３Ｂの底面がほぼ水平となる向きで紙幣処理装置１に固定されている。
【００４７】
出金部４は、上面が開口している箱型の集積部４Ｂを有している。この集積部４Ｂの開口が上述した排出口４Ａとなる。この出金部４は、出金取引時に、紙幣収納庫１２Ａ〜１２Ｅなどから搬送されてくる出金紙幣を集積部４Ｂに集積して、職員に取り出させるようになっている。
【００４８】
また、この出金部４は、集積部４Ｂの前側が後側より下方に位置するよう前方に傾けられた状態で紙幣処理装置１に固定されている。
【００４９】
鑑別部１０は、搬送路１４を介して１枚ずつ搬送されてくる紙幣の金種、真偽、正損、走行状態などを鑑別するようになっている。そして、この鑑別部１０は、その鑑別結果に基づいて、紙幣ごとに、取り扱うことのできる正常紙幣か取り扱うことのできないリジェクト紙幣かを判定するようになっている。
【００５０】
一時保留部１１は、入金部３から取り込まれて鑑別部１０により正常紙幣と判定された紙幣を一時的に集積する。このようにして一時保留部１１に集積された紙幣は、取引成立後に、一時保留部１１から繰り出されて鑑別部１０に搬送され、鑑別部１０により金種が特定された後、紙幣収納庫１２Ａ〜１２Ｅに搬送されて収納される。
【００５１】
尚、一時保留部１１は、紙幣を順次重ねて集積する集積式であってもよいし、紙幣をドラムにテープと共に巻き付けて収納するドラム式であってもよい。
【００５２】
紙幣収納庫１２Ａ〜１２Ｅは、それぞれ、搬送路１４を介して搬送されてくる紙幣を、内部に上下方向に重ねて集積するようになっている。また、紙幣収納庫１２Ａ〜１２Ｅは、紙幣を収納するだけでなく、内部に集積されている紙幣を１枚ずつ搬送路１４に繰り出すことができるようにもなっている。
【００５３】
さらに、紙幣収納庫１２Ａ〜１２Ｅは、それぞれ個別に紙幣処理装置１から着脱可能な着脱式となっている。
【００５４】
リジェクト庫１３は、鑑別部１０によってリジェクト紙幣と判定された紙幣を集積するようになっている。
【００５５】
またこの紙幣処理装置１の筐体２内には、所定箇所に、全体を制御する制御部（図示せず）が設けられている。
【００５６】
紙幣処理装置１は、以上の構成でなり、制御部が、鑑別部１０による紙幣の鑑別結果などをもとに各部を制御して、紙幣の入金処理及び出金処理を行うようになっている。
【００５７】
すなわち、紙幣処理装置１は、入金取引時、職員により、操作部６を介して取引項目（この場合、入金）などが入力され、さらに投入口３Ａから入金部３に紙幣が投入されると、投入された紙幣を１枚ずつ鑑別部１０に搬送する。
【００５８】
ここで、紙幣処理装置１は、鑑別部１０により正常紙幣と判定された紙幣については一時保留部１１に搬送して一時的に収納する。一方で、入金に適さない入金リジェクト紙幣と判定された紙幣については出金部４へ戻して、職員に返却する。
【００５９】
その後、職員により入金金額が確定されると、一時保留部１１に収納している紙幣を鑑別部１０に搬送して金種を鑑別し、その金種に応じて、各紙幣収納庫１２Ａ〜１２Ｅへ搬送して保管するようになっている。
【００６０】
一方、出金取引時、紙幣処理装置１は、職員により操作部６を介して、取引項目（この場合、出金）、出金金額などが入力されると、要求金額に応じて必要な金種毎の紙幣枚数を認識し、この金種毎の紙幣枚数に応じて各紙幣収納庫１２Ａ〜１２Ｅから紙幣を１枚ずつ繰り出して、鑑別部１０に搬送する。
【００６１】
ここで、紙幣処理装置１は、鑑別部１０により正常紙幣と判定された紙幣については出金部４に搬送する一方で、出金に適さない出金リジェクト紙幣と判定された紙幣については一時保留部１１に搬送して一時的に収納する。
【００６２】
そして、出金部４に集積された出金金額分の紙幣を、職員が受け取る。
【００６３】
その後、紙幣処理装置１は、一時保留部１１に収納している出金リジェクト紙幣を、リジェクト庫１３へと搬送して保管する。
【００６４】
このようにして、紙幣処理装置１は、紙幣の入金処理及び出金処理を行うようになっている。
【００６５】
尚、一番手前側に位置する紙幣収納庫１２Ａと、その下に位置するリジェクト庫１３は、別々に設けられていてもよいし、一体となっていてもよい。
【００６６】
紙幣収納庫１２Ａとリジェクト庫１３が一体となっている場合、紙幣収納庫１２Ａを着脱するときに、紙幣収納庫１２Ａと共にリジェクト庫１３も着脱される。
【００６７】
また、紙幣収納庫１２Ａについては、紙幣処理装置１に対する紙幣の補充及び回収を行う補充回収庫として利用するなどしてもよい。
【００６８】
［１−３．入金部の構成］
次に、入金部の構成について、詳しく説明する。
【００６９】
図３に示すように、入金部３は、上面が開口している箱型の収納部３Ｂを有している。この収納部３Ｂの底には、その一端側（例えば後端側）に、収納部３Ｂ内に投入された紙幣の取込口３Ｃが設けられている。
【００７０】
さらに入金部３には、収納部３Ｂの後壁から一部が突出するようにして、ピックアップローラ２０が設けられている。
【００７１】
このピックアップローラ２０の外周面には、当該外周面の全周の４分の１程度を覆う接触部材２０Ａが、当該外周面に沿って設けられている。この接触部材２０Ａは、ピックアップローラ２０の外周面より摩擦係数の大きな部材（例えばゴムなど）となっている。
【００７２】
ピックアップローラ２０は、詳しくは後述するが、この接触部材２０Ａを紙幣に接触させながら回転するようになっている。
【００７３】
また、ピックアップローラ２０は、図４（Ｂ）にも示すように、左右に１個ずつの計２個設けられていて、それぞれ、図示しないモータの駆動力により同期して回転するようになっている。
【００７４】
さらに、入金部３には、収納部３Ｂの後壁と平行な状態で、収納部３Ｂ内を前後方向にスライド可能な板状のビルプレス２１が設けられている。
【００７５】
つまり、入金部３では、ビルプレス２１を、収納部３Ｂの後壁へ近づける方向（閉方向）及び後壁から遠ざける方向（開方向）にスライドさせることができるようになっている。ビルプレス２１は、図示しないモータの駆動力によりスライドする。
【００７６】
ここで、入金部３の上面に設けられた開口全体のうち、このビルプレス２１と収納部３Ｂの後壁との間の部分の開口が、紙幣の投入口３Ａとなっている。
【００７７】
また、この入金部３は、ビルプレス２１と収納部３Ｂの後壁との間の領域が、投入口３Ａから投入される紙幣を収納する紙幣収納領域Ａｒ１となっていて、ビルプレス２１と収納部３Ｂの前壁との間の領域が、ビルプレス２１をスライドさせるバネなどの内部機構２２が設けられた内部機構領域Ａｒ２となっている。
【００７８】
さらに取込口３Ｃの下方近傍には、フィードローラ２３とゲートローラ２４とが前後方向に対向配置されている。
【００７９】
フィードローラ２３は、図示しないモータの駆動力により、ピックアップローラ２０と同期して回転する。
【００８０】
さらに、入金部３には、ビルプレス２１と収納部３Ｂの前壁との間に、折り畳み式のビルプレスシャッタ２５が設けられている。
【００８１】
このビルプレスシャッタ２５は、ビルプレス２１と収納部３Ｂの前壁との間の内部機構領域Ａｒ２を覆うシャッタである。
【００８２】
ビルプレスシャッタ２５は、図４（Ａ）及び（Ｂ）に示すように、２枚の左右方向に長い長方形板状の部材２６Ａ及び２６Ｂを前後方向に蝶番状に連結した構造となっている。尚、ここでは前側の部材２６Ａを第１部材２６Ａと呼び、後側の部材２６Ｂを第２部材２６Ｂと呼ぶ。
【００８３】
この第１部材２６Ａは、収納部３Ｂの上面の開口の前側半分と同程度の面積を有し、第２部材２６Ｂは、開口の後側半分と同程度の面積を有している。すなわち、これら第１部材２６Ａ及び第２部材２６Ｂは、２枚で、収納部３Ｂの上面の開口全体を覆うことができる程度の面積を有している。
【００８４】
第１部材２６Ａは、前端部の中央部分が、連結部３０を介して収納部３Ｂの前壁の上端部分と連結されている。また第１部材２６Ａは、後端部の中央から所定間隔だけ左側にずれた箇所と右側にずれた箇所とが、それぞれ連結部３１Ａ及び３１Ｂを介して第２部材２６Ｂの前端部と連結されている。
【００８５】
一方、第２部材２６Ｂは、前端部中央から所定間隔だけ左側にずれた箇所と、右側にずれた箇所とが、それぞれ連結部３１Ａ及び３１Ｂを介して、第１部材２６Ａの後端部と連結されている。また第２部材２６Ｂは、後端部の中央部分が、連結部３２を介して、ビルプレス２１の前面の上端中央部分と連結されている。
【００８６】
ここで、連結部３０は、図５（Ａ）及び（Ｂ）に示すように、収納部３Ｂの前壁に突設された２つの板状の軸受部４０Ａ及び４０Ｂと、第１部材２６Ａの前端部に突設された２つの板状の軸受部４１Ａ及び４１Ｂと、シャフト４２とで構成されている。
【００８７】
４つの軸受部４０Ａ、４０Ｂ、４１Ａ、４１Ｂのそれぞれには、シャフト４２を通す孔として、左右方向に貫通する円形の軸孔４３が設けられている。
【００８８】
また第１部材２６Ａ側に設けられた２つの軸受部４１Ａ及び４１Ｂの間隔は、収納部３Ｂの前壁側に設けられた２つの軸受部４０Ａ及び４０Ｂの間隔より広くなっている。
【００８９】
そして、第１部材２６Ａ側に設けられた２つの軸受部４１Ａ及び４１Ｂが、それぞれ収納部３Ｂの前壁側に設けられた２つの軸受部４０Ａ及び４０Ｂの外側に位置する状態で、これら４つの軸受部４０Ａ、４０Ｂ、４１Ａ、４１Ｂの軸孔４３にシャフト４２が挿入されることで、第１部材２６Ａと収納部３Ｂの前壁とが連結されている。
【００９０】
すなわち、第１部材２６Ａは、左右方向に延在するシャフト４２を回転軸として回転自在に、収納部３Ｂの前壁と連結されている。
【００９１】
連結部３１Ａ及び３１Ｂについても、連結部３０と同様の構成であるので、説明を省略する。
【００９２】
ビルプレス２１と第２部材２６Ｂとを連結する連結部３２は、図６（Ａ）及び（Ｂ）に示すように、第２部材２６Ｂの後端部に突設された２つの板状の軸受部４４Ａ及び４４Ｂと、ビルプレス２１の背面に突設された２つの板状の軸受部４５Ａ及び４５Ｂと、シャフト４２とで構成されている。
【００９３】
４つの軸受部４４Ａ、４４Ｂ、４５Ａ、４５Ｂのうち、第２部材２６Ｂに設けられた軸受部４４Ａ、４４Ｂには、シャフト４２を通す孔として、左右方向に貫通する円形の軸孔４３が設けられている。
【００９４】
これに対して、ビルプレス２１に設けられた軸受部４５Ａ、４５Ｂには、シャフト４２を通す孔として、左右方向に貫通する楕円形の軸孔４６が設けられている。この軸孔４６が円形ではなく楕円形である点が、他の連結部３０、３１Ａ及び３１Ｂとは異なる点である。
【００９５】
またビルプレス２１側に設けられた２つの軸受部４５Ａ及び４５Ｂの間隔は、第２部材２６Ｂ側に設けられた２つの軸受部４４Ａ及び４４Ｂの間隔より広くなっている。
【００９６】
そして、ビルプレス２１側に設けられた２つの軸受部４５Ａ及び４５Ｂが、それぞれ第２部材２６Ｂ側に設けられた２つの軸受部４４Ａ及び４４Ｂの外側に位置する状態で、これら４つの軸受部４４Ａ、４４Ｂ、４５Ａ、４５Ｂの軸孔４３、４６にシャフト４２が挿入されることで、ビルプレス２１と第２部材２６Ｂとが連結されている。
【００９７】
すなわち、第２部材２６Ｂは、左右方向に延在するシャフト４２を回転軸として回転自在に、ビルプレス２１と連結されている。
【００９８】
ここで、シャフト４２の断面が円形であるのに対して、ビルプレス２１側の２つの軸受部４５Ａ及び４５Ｂのそれぞれに設けられた軸孔４６は、シャフト４２の断面より大きな、前後方向に長い楕円形となっている。
【００９９】
すなわち、ビルプレス２１側の２つの軸受部４５Ａ及び４５Ｂのそれぞれに設けられた軸孔４６には、シャフト４２が回転するだけでなく、前後方向にずれることができるように遊びが設けられている。
【０１００】
これにより、ビルプレス２１は、収納部３Ｂの後壁の壁面と平行な状態から、左端を後方にずらすと共に右端を前方にずらすように、またはその逆に姿勢を傾けることができるようになっている。
【０１０１】
ビルプレスシャッタ２５は、このような構成でなり、図３に示すように、ビルプレス２１が収納部３Ｂの前壁近傍に位置しているときには、第１部材２６Ａの前端と第２部材２６Ｂの後端とを近づけるように閉じて折り畳まれた状態となっている。
【０１０２】
このとき、第１部材２６Ａと第２部材２６Ｂとを連結する連結部３１Ａ及び３１Ｂは、連結部３０及び３２より下方に位置する。つまり、ビルプレスシャッタ２５は、Ｖ字型に折り畳まれた状態となっている。
【０１０３】
この状態から、ビルプレス２１が閉方向（後方）にスライドしていくと、図４（Ａ）に示すように、ビルプレスシャッタ２５は、第１部材２６Ａの前端と第２部材２６Ｂの後端とを遠ざけるように開いて展開していく。
【０１０４】
すなわち、ビルプレスシャッタ２５は、Ｖ字の開きを大きくするようにして展開していく。
【０１０５】
このように、ビルプレスシャッタ２５は、ビルプレス２１の閉方向へのスライドにともなって、折り畳まれた状態から展開していき、ビルプレス２１と収納部３Ｂの前壁との間の内部機構領域Ａｒ２の上部を常に覆うようになっている。
【０１０６】
［１−４．入金取引時の入金部の動作］
次に、実際に、紙幣を入金するときの入金部３の動作について説明する。入金部３は、入金取引を行うとき以外は、待機状態となっている。
【０１０７】
待機状態の入金部３は、図７に示すように、ビルプレス２１をピックアップローラ２０に押し付けて接触させた状態となっている。このときのビルプレス２１の位置を、第２の位置としての待機スライド位置とする。
【０１０８】
ビルプレス２１が待機スライド位置にあるとき、ビルプレス２１と収納部３Ｂの後壁との間の開口である投入口３Ａは、最も狭くなる。実際、入金部３では、このときの投入口３Ａが、異物として想定される硬貨（例えば１０円硬貨）の厚みよりも狭く、ほぼ閉じた状態となっている。
【０１０９】
また、このとき、紙幣収納領域Ａｒ１も、最も狭くなる。こうすることで、紙幣処理装置１は、入金部３が待機状態のときに、入金部３の投入口３Ａから紙幣収納領域Ａｒ１内に硬貨などの異物が進入することを防ぐことができる。
【０１１０】
また、この待機状態のとき、入金部３のビルプレス２１と収納部３Ｂの前壁との間の内部機構領域Ａｒ２は、その上部が、展開されたビルプレスシャッタ２５により覆われる。
【０１１１】
これにより、紙幣処理装置１は、入金部３が待機状態のときに、入金部３の内部機構領域Ａｒ２内に異物が進入することを防ぐこともできる。
【０１１２】
ここで、職員により、操作部６を介して入金取引の実行が選択されたとする。
【０１１３】
すると、紙幣処理装置１は、図８に示すように、ビルプレス２１を、待機スライド位置から開方向（前方）にスライドさせ、収納部３Ｂの前壁近傍の所定位置で停止させる。このときビルプレス２１を停止させた位置を、第１の位置としての入金開始スライド位置とする。
【０１１４】
このとき、ビルプレス２１と収納部３Ｂの後壁との間の開口である投入口３Ａは徐々に広がっていき、ビルプレス２１が入金開始スライド位置に到達したときに最も広くなり、全開した状態となる。
【０１１５】
このように、紙幣処理装置１は、入金取引で紙幣を投入させるときには、紙幣を投入し易いように、投入口３Ａを全開する。また、紙幣処理装置１は、このように、投入口３Ａを全開することにより、この投入口３Ａから紙幣を投入すればよい旨を、職員に容易且つ確実に認識させることもできる。
【０１１６】
尚、ここでは、投入口３Ａを全開したが、必ずしも全開にする必要はなく、要は、紙幣を投入し易いように、できるだけ投入口３Ａを広くすればよい。
【０１１７】
その後、図９に示すように、職員が投入口３Ａから紙幣ＢＬを投入すると、紙幣処理装置１は、図示しないセンサにより、投入口３Ａから紙幣収納領域Ａｒ１に紙幣ＢＬが投入されたことを認識する。
【０１１８】
すると、紙幣処理装置１は、入金開始スライド位置にあるビルプレス２１を閉方向にスライドさせる。
【０１１９】
このとき、ビルプレスシャッタ２５が内部機構領域Ａｒ２の上部を覆いながら展開していくことで、内部機構領域Ａｒ２は、このビルプレスシャッタ２５により常に塞がれた状態となる。
【０１２０】
これにより、職員が、内部機構領域Ａｒ２内に誤って紙幣を投入したり、この内部機構領域Ａｒ２内に、異物が進入したりすることを防ぐことができる。
【０１２１】
そして、図１０に示すように、紙幣処理装置１は、紙幣収納領域Ａｒ１に投入された紙幣ＢＬをビルプレス２１によってピックアップローラ２０に押し付けると共に、ビルプレス２１とピックアップローラ２０との間で挟持する。
【０１２２】
ここで、ビルプレス２１は、上述したように、収納部３Ｂの後壁の壁面に対して傾くことができるようになっている。これにより、ビルプレス２１は、例えば、図１１に示すように、投入される紙幣の種類や状態の違いによって、紙幣束の厚みに左右で差が生じるような場合でも、その差に応じて姿勢を傾けることができるので、紙幣の束をより確実にピックアップローラ２０との間で挟持することができる。
【０１２３】
また、図１０に示すように、ピックアップローラ２０は、前もって、待機状態のときに、入金取引で紙幣の取り込みを開始するときに最適な回転位置（これを、以下、取込開始回転位置と呼ぶ）に回転させられていて、この取込開始回転位置で停止している。
【０１２４】
取込開始回転位置は、接触部材２０Ａの周方向の一端がピックアップローラ２０と紙幣ＢＬとの接触箇所に位置すると共に、周方向の他端が一端より上側に位置するように、ピックアップローラ２０を回転させたときの回転位置である。
【０１２５】
尚、ここで言う周方向の一端とは、接触部材２０Ａをピックアップローラ２０と共に図中時計回りに回転させるときの、回転方向から見て先に位置する端（これを先端と呼ぶ）であり、周方向の他端とは、回転方向から見て後に位置する端（これを後端と呼ぶ）である。
【０１２６】
ゆえに、紙幣収納領域Ａｒ１に投入された紙幣ＢＬを、取込開始回転位置で停止しているピックアップローラ２０に押し付けると、ピックアップローラ２０の接触部材２０Ａの先端と、投入された紙幣ＢＬのうちの一番奥の紙幣ＢＬが接触する。
【０１２７】
そして、図１２に示すように、紙幣処理装置１は、取込開始回転位置で停止しているピックアップローラ２０を、図中時計周りに回転させると共に、このピックアップローラ２０の回転と同期させて、フィードローラ２３を回転させる。
【０１２８】
このとき、ピックアップローラ２０は、接触部材２０Ａの先端から後端までを、紙幣収納領域Ａｒ１内に投入された一番奥の１枚の紙幣ＢＬに接触させていきながら回転することになる。
【０１２９】
これにより、一番奥の１枚の紙幣ＢＬが、接触部材２０Ａとの摩擦によって、下方の取込口３Ｃへと繰り出される。
【０１３０】
そして、取込口３Ｃへと繰り出された紙幣ＢＬは、フィードローラ２３とゲートローラ２４により他の紙幣ＢＬから分離され、取込口３Ｃから紙幣処理装置１内へと取り込まれる。
【０１３１】
このように、紙幣処理装置１は、入金取引時に、入金部３のピックアップローラ２０を、取込開始回転位置から回転させ、接触部材２０Ａの先端から後端までを、一番奥の紙幣ＢＬに接触させていくことにより、一番奥の紙幣ＢＬを１枚ずつ確実に分離して取り込んでいくことができる。
【０１３２】
紙幣処理装置１は、その後も、ピックアップローラ２０とフィードローラ２３とを回転し続けることにより、１枚目の紙幣ＢＬと同様にして、紙幣収納領域Ａｒ１内に投入された紙幣ＢＬを１枚ずつ取り込んでいく。
【０１３３】
そして、紙幣処理装置１は、図１３に示すように、入金部３に投入された紙幣ＢＬの全てを取り込み終えると、このことを、図示しないセンサにより認識する。
【０１３４】
すると、紙幣処理装置１は、図１４に示すように、ビルプレス２１を、開方向（前方）にスライドさせ、所定位置で停止させる。このときビルプレス２１を停止させた位置を、第３の位置としての退避スライド位置とする。
【０１３５】
この退避スライド位置は、ビルプレス２１とピックアップローラ２０及び接触部材２０Ａとが接触しない位置であればどこでもよく、入金開始スライド位置と同じ位置でもよいし、入金開始スライド位置よりも収納部３Ｂの後壁に近い位置であってもよい。
【０１３６】
このようにして、ビルプレス２１を、退避スライド位置に移動させた後、紙幣処理装置１は、図１５に示すように、次の取引にそなえて、ピックアップローラ２０を、取込開始回転位置まで回転させて停止させる。
【０１３７】
このように、紙幣処理装置１は、ビルプレス２１をピックアップローラ２０及び接触部材２０Ａから離した後に、ピックアップローラ２０を取込開始回転位置まで回転させるようになっている。
【０１３８】
このようにする理由は、ピックアップローラ２０又は接触部材２０Ａにビルプレス２１が接触したままの状態でピックアップローラ２０を回転させると、ビルプレス２１からの押圧力が影響して、ピックアップローラ２０を正確に取込開始回転位置に合わせることが難しいからである。
【０１３９】
換言すれば、紙幣処理装置１は、ビルプレス２１をピックアップローラ２０及び接触部材２０Ａから離したうえで、ピックアップローラ２０を回転させることにより、ピックアップローラ２０を、正確に取込開始回転位置に合わせることができる。
【０１４０】
その後、紙幣処理装置１は、図１６に示すように、再び、ビルプレス２１を閉方向にスライドさせてピックアップローラ２０に押し付け（つまり、ビルプレス２１を待機スライド位置に位置させ）、入金部３を待機状態とする。
【０１４１】
以上の動作が、入金取引時の入金部３の動作である。
【０１４２】
［１−５．効果］
上述したように、紙幣処理装置１は、入金部３が待機状態のとき（すなわち待機時）には、ビルプレス２１を待機スライド位置に位置させてピックアップローラ２０に押し付けることにより、投入口３Ａがほぼ閉じるように、投入口３Ａを狭くする。
【０１４３】
その後、紙幣処理装置１は、入金取引で紙幣を投入させるときに、ビルプレス２１を待機スライド位置から開方向にスライドさせることにより、投入口３Ａを広げる。
【０１４４】
つまり、紙幣処理装置１は、入金取引で紙幣を投入させるときには、紙幣を投入し易くする為に、投入口３Ａを広げる一方で、待機時には、異物の進入を防ぐ為に、入金取引での紙幣投入時よりも投入口３Ａを狭くする。
【０１４５】
こうすることで、紙幣処理装置１は、入金取引を行っていない待機時に、入金部３の投入口３Ａから紙幣収納領域Ａｒ１内に異物が進入することを防ぐことができる。
【０１４６】
また、紙幣処理装置１は、ビルプレス２１と収納部３Ｂの前壁との間の内部機構領域Ａｒ２の上部に、ビルプレス２１が閉方向にスライドすることにともなって内部機構領域Ａｒ２を覆うように展開されるビルプレスシャッタ２５を設けるようにした。
【０１４７】
これにより、紙幣処理装置１は、待機時に、内部機構領域Ａｒ２内に異物が進入することを防ぐこともできる。
【０１４８】
さらに、紙幣処理装置１は、待機時に、次の入金取引にそなえて、前もって、ピックアップローラ２０を、入金取引で紙幣の取り込みを開始するときに最適な取込開始回転位置に合わせておくようにした。
【０１４９】
これにより、紙幣処理装置１は、入金取引で紙幣の取り込みを行うときに、ピックアップローラ２０を取込開始回転位置に合わせる動作を行う必要がなくなり、その分、入金取引の動作を簡略化することができると共に、入金取引にかかる時間を短くすることができる。
【０１５０】
さらに、紙幣処理装置１は、入金部３が待機状態となるときに、ビルプレス２１を一旦、退避スライド位置までスライドさせてピックアップローラ２０から離した状態で、ピックアップローラ２０を取込開始回転位置に合わせるようにした。
【０１５１】
これにより、紙幣処理装置１は、ピックアップローラ２０を正確に取込開始回転位置に合わせることができる。
【０１５２】
以上の構成によれば、紙幣処理装置１は、投入口３Ａを覆うシャッタがなくとも、待機時に、投入口３Ａから入金部３の収納部３Ｂ内に異物が進入することを防ぐことがでる。
【０１５３】
これにより、紙幣処理装置１は、異物が収納部３Ｂの取込口３Ｃからフィードローラ２０３とゲートローラ２０４の間に入り込んでしまうことを防いで装置異状を引き起こす状況を回避することができる。
【０１５４】
かくして、紙幣処理装置１は、簡易な構成でありながら、異物の進入による装置異状を防止することができる。
【０１５５】
［２．第２の実施の形態］
次に第２の実施の形態について説明する。この第２の実施の形態は、図１７に示すように、入金部３と出金部４の代わりに、入金部３と出金部４の両方の機能を兼ね備えた入出金部１００を有する紙幣処理装置１０１に本発明を適用した実施の形態である。
【０１５６】
尚、図２と図１７とを比較すれば明らかなように、紙幣処理装置１０１の入出金部１００以外の構成は、第１の実施の形態の紙幣処理装置１と同一であるので、詳しい説明は省略する。
【０１５７】
また、図１８に示すように、入出金部１００の構成については、入金部３と同一であるので、詳しい説明は省略する。
【０１５８】
尚、入出金部１００は、図１７に示すように、収納部３Ｂの前側が後側より下方に位置するよう前方に傾けられた状態で紙幣処理装置１０１に固定されているが、これに限らず、収納部３Ｂの底面がほぼ水平となる向きで紙幣処理装置１０１に固定されていてもよい。
【０１５９】
さらに、入出金部１００の入金取引時の動作については、入金部３と同一であるので、詳しい説明は省略する。
【０１６０】
ゆえに、ここでは、入出金部１００の出金取引時の動作についてのみ説明する。
【０１６１】
尚、入出金部１００の投入口３Ａは、入金取引時には、職員が紙幣を投入する投入口として機能する一方で、出金取引時には、職員に紙幣を取り出させる為の排出口として機能する。ゆえに、出金取引の説明では、投入口３Ａを排出口３Ａと呼ぶ。
【０１６２】
また、入出金部１００の収納部３Ｂは、入金取引時には、職員が投入した紙幣を収納する収納部として機能する一方で、出金取引時には、職員に取り出させる紙幣を集積する集積部として機能する。ゆえに、出金取引の説明では、収納部３Ｂを集積部３Ｂと呼ぶ。
【０１６３】
さらに、入出金部１００の取込口３Ｃは、入金取引時には、職員が投入した紙幣を紙幣処理装置１０１内へと取り込む取込口として機能する一方で、出金取引時には、紙幣処理装置１０１内から紙幣収納領域Ａｒ１へと紙幣を繰り出す繰出口として機能する。ゆえに、出金取引の説明では、取込口３Ｃを繰出口３Ｃと呼ぶ。
【０１６４】
［２−１．出金取引時の入出金部の動作］
入出金部１００は、入金取引及び出金取引を行うとき以外は、待機状態となっている。
【０１６５】
待機状態の入出金部１００は、図１９に示すように、ビルプレス２１をピックアップローラ２０に押し付けた状態（すなわち待機スライド位置に位置させた状態）となっている。
【０１６６】
このとき、ビルプレス２１と集積部３Ｂの後壁との間の開口である排出口３Ａは、最も狭くなる。実際、入出金部１００では、このときの排出口３Ａが、異物として想定される硬貨（例えば１０円硬貨）の厚みよりも狭く、ほぼ閉じた状態となっている。
【０１６７】
また、このとき、紙幣収納領域Ａｒ１も、最も狭くなる。こうすることで、紙幣処理装置１０１は、入出金部１００が待機状態のときに、入出金部１００の排出口３Ａから紙幣収納領域Ａｒ１内に硬貨などの異物が進入することを防ぐことができる。
【０１６８】
また、この待機状態のとき、入出金部１００のビルプレス２１と集積部３Ｂの前壁との間の内部機構領域Ａｒ２は、その上部が、展開されたビルプレスシャッタ２５により覆われる。
【０１６９】
これにより、紙幣処理装置１０１は、入出金部１００が待機状態のときに、入出金部１００の内部機構領域Ａｒ２内に異物が進入することを防ぐこともできる。
【０１７０】
ここで、職員により、操作部６を介して出金取引の実行が選択されたとする。
【０１７１】
すると、紙幣処理装置１０１は、図２０に示すように、ビルプレス２１を、開方向（前方）にスライドさせ、収納部３Ｂの後壁と前壁との間の所定位置で停止させる。このときビルプレス２１を停止させた位置を、出金開始スライド位置とする。
【０１７２】
尚、この出金開始スライド位置は、紙幣収納領域Ａｒ１が広くなりすぎないように、入金開始スライド位置（図８参照）よりも集積部３Ｂの後壁に近い位置となっている。
【０１７３】
紙幣処理装置１０１は、ビルプレス２１が出金開始スライド位置に到達したことを図示しないセンサにより認識すると、ピックアップローラ２０を、入金取引時とは逆方向（図中反時計周り）に回転させると共に、このピックアップローラ２０の回転と同期させて、フィードローラ２３を回転させる。
【０１７４】
これにより、繰出口３Ｃから紙幣収納領域Ａｒ１内へと、紙幣ＢＬが１枚ずつ繰り出されていく。
【０１７５】
ここで、紙幣処理装置１０１は、図２１に示すように、紙幣収納領域Ａｒ１内へと１枚ずつ紙幣ＢＬを繰り出していくときに、１番奥の紙幣ＢＬ（すなわち直近に繰り出された紙幣ＢＬであり図中左端の紙幣ＢＬ）の位置が常に同じ位置となるように、紙幣収納領域Ａｒ１内に繰り出された紙幣ＢＬの枚数が増えるにつれて、ビルプレス２１を開方向に少しずつスライドさせていく。
【０１７６】
そして、紙幣処理装置１０１は、出金金額分の紙幣ＢＬを紙幣収納領域Ａｒ１内に繰り出し終えると、紙幣を取り出し易いように、ビルプレス２１を入金開始スライド位置と同じ位置まで開方向にスライドさせて停止させる。このとき排出口３Ａは全開となる。このときビルプレス２１を停止させた位置を、第４の位置としての出金終了スライド位置とする。
【０１７７】
尚、ここでは、排出口３Ａを全開したが、必ずしも全開にする必要はなく、要は、紙幣を取り出し易いように、できるだけ排出口３Ａを広くすればよい。
【０１７８】
その後、図２２に示すように、職員が排出口３Ａから紙幣を全て取り出すと、紙幣処理装置１０１は、図示しないセンサにより、入出金部１００の紙幣収納領域Ａｒ１内に繰り出した紙幣ＢＬの全てが取り出されたことを認識する。
【０１７９】
すると、紙幣処理装置１０１は、図２３に示すように、次の取引にそなえて、ピックアップローラ２０を、取込開始回転位置まで回転させて停止させる。
【０１８０】
尚、次の取引が入金取引と出金取引のどちらであるかを予測することは困難であり、また、出金取引を開始するときのピックアップローラ２０の回転位置は任意の位置でよいことから、ここでは、ピックアップローラ２０を取込開始回転位置に合わせするようになっている。
【０１８１】
その後、紙幣処理装置１０１は、図２４に示すように、再び、ビルプレス２１を閉方向にスライドさせてピックアップローラ２０に押し付け（つまり、ビルプレス２１を待機スライド位置に位置させ）、入出金部１００を待機状態とする。
【０１８２】
以上の動作が、出金取引時の入出金部１００の動作である。
【０１８３】
［２−２．効果］
上述したように、紙幣処理装置１０１は、入出金部１００が待機状態のとき（すなわち待機時）には、ビルプレス２１を待機スライド位置に位置させて集積部３Ｂの後壁から突出しているピックアップローラ２０に押し付けることで、排出口（投入口）３Ａがほぼ閉じた状態となるように、排出口（投入口）３Ａを狭くする。
【０１８４】
その後、紙幣処理装置１０１は、出金取引で紙幣を取り出させるとき又は入金取引で紙幣を投入させるときには、ビルプレス２１を開方向にスライドさせて、排出口（投入口）３Ａを広げる。
【０１８５】
つまり、紙幣処理装置１は、出金取引での紙幣取出時及び入金取引での紙幣投入時には、紙幣を取り出し易くする及び投入し易くする為に、排出口（投入口）３Ａを広げる一方で、待機時には、異物の進入を防ぐ為に、紙幣取出時及び紙幣投入時よりも排出口（投入口）３Ａを狭くする。
【０１８６】
こうすることで、紙幣処理装置１０１は、出金取引及び入金取引を行っていない待機時に、入出金部１００の排出口（投入口）３Ａから紙幣収納領域Ａｒ１内に異物が進入することを防ぐことができる。
【０１８７】
また、紙幣処理装置１０１は、待機時に、次の入金取引にそなえて、前もって、ピックアップローラ２０を、入金取引を開始するときに最適な取込開始回転位置に合わせておくようにした。
【０１８８】
これにより、紙幣処理装置１０１は、入金取引を行うときに、ピックアップローラ２０を取込開始回転位置に合わせる動作を行う必要がなくなり、その分、入金取引の動作を簡略化することができると共に、入金取引にかかる時間を短くすることができる。
【０１８９】
以上の構成によれば、紙幣処理装置１０１は、排出口（投入口）３Ａを覆うシャッタがなくとも、待機時に、排出口（投入口）３Ａから入出金部１００の集積部（収納部）３Ｂ内に異物が進入することを防ぐことができる。
【０１９０】
これにより、紙幣処理装置１０１は、異物が集積部（収納部）３Ｂの繰出口（取込口）３Ｃからフィードローラ２０３とゲートローラ２０４の間に入り込んでしまうことを防いで装置異状を引き起こす状況を回避することができる。
【０１９１】
かくして、紙幣処理装置１０１は、簡易な構成でありながら、異物の進入による装置異状を防止することができる。
【０１９２】
ここまで説明したように、この第２の実施の形態では、入金部３と出金部４の両方の機能を兼ね備えた入出金部１００を有する紙幣処理装置１０１が、入金取引及び出金取引が完了して待機状態となるときに、入出金部１００の排出口（投入口）３Ａを、紙幣投入時及び紙幣取出時よりも狭くするようにした。
【０１９３】
こうすることで、入出金部１００を有する紙幣処理装置１０１でも、入金部３を有する紙幣処理装置１と同様の効果を得ることができる。
【０１９４】
［３．他の実施の形態］
［３−１．他の実施の形態１］
尚、上述した第１の実施の形態では、入金部３が待機状態のとき（すなわち待機時）に、ビルプレス２１をピックアップローラ２０に押し付けることで、投入口３Ａを入金取引での紙幣投入時よりも狭くするようにした。
【０１９５】
これに限らず、待機時に、投入口３Ａが入金取引での紙幣投入時よりも狭くなるように、ビルプレス２１をピックアップローラ２０に押し付けるのではなく、ビルプレス２１をピックアップローラ２０に近接させる（すなわち収納部３Ｂの後壁に近接させる）だけでもよい。
【０１９６】
この場合でも、投入口３Ａの大きさが、想定される異物（例えば硬貨）が進入できない程度まで狭くなっていれば、投入口３Ａから紙幣収納領域Ａｒ１内に異物が進入することを十分防ぐことができる。
【０１９７】
第２の実施の形態の入出金部１００についても同様に、待機時に、排出口（投入口）３Ａが入金取引での紙幣投入時及び出金取引での紙幣取出時よりも狭くなるように、ビルプレス２１をピックアップローラ２０に近接させるだけでもよい。
【０１９８】
［３−２．他の実施の形態２］
また、上述した第１の実施の形態では、入金部３に投入された紙幣ＢＬの全てを取り込み終えると、ビルプレス２１を退避スライド位置に移動させ、ビルプレス２１が退避スライド位置に到達したら、ピックアップローラ２０を回転させて取込開始回転位置に合わせるようにした。
【０１９９】
これに限らず、ビルプレス２１を退避スライド位置に移動させるときに、ビルプレス２１がピックアップローラ２０から離れた時点で、ピックアップローラ２０を回転させて取込開始回転位置に合わせるようにしてもよい。
【０２００】
このように、ビルプレス２１の退避スライド位置への移動と、ピックアップローラ２０の位置合わせとを、並行して行うようにすれば、ビルプレス２１の移動を開始してから、ピックアップローラ２０の位置合わせが完了するまでの時間を短縮できる。
【０２０１】
［３−３．他の実施の形態３］
さらに、上述した第１の実施の形態では、ピックアップローラ２０の外周面に、当該外周面の全周の４分の１程度を覆う接触部材２０Ａを、当該外周面に沿って設けるようにした。
【０２０２】
これに限らず、接触部材２０Ａについては、例えば、全週の２分の１程度を覆うものであってもよいし、全周を覆うものであってもよい。
【０２０３】
第２の実施の形態の入出金部１００についても同様に、接触部材２０Ａについては、例えば、全週の２分の１程度を覆うものであってもよいし、全周を覆うものであってもよい。
【０２０４】
［３−４．他の実施の形態４］
さらに、上述した第１の実施の形態では、入金部３と出金部４を有する紙幣処理装置１に本発明を適用するようにした。また、上述した第２の実施の形態では、入金部３と出金部４の両方の機能を兼ね備えた入出金部１００を有する紙幣処理装置１０１に本発明を適用するようにした。
【０２０５】
これに限らず、入出金部を複数有する紙幣処理装置や、入出金部と入金部又は出金部とを有する紙幣処理装置などに適用してもよく、このような紙幣処理装置に適用した場合も、入金部や入出金部への異物の進入による装置異状を防止することができる。
【０２０６】
［３−５．他の実施の形態５］
さらに、上述した第１の実施の形態では、入金部３に、板状の第１部材２６Ａと第２部材２６Ｂとを連結した折り畳み式のビルプレスシャッタ２５を設けるようにした。
【０２０７】
これに限らず、ビルプレスシャッタ２５と同様に機能するものであれば、ビルプレスシャッタ２５とは異なるシャッタを用いるようにしてもよい。
【０２０８】
例えば、図２５（Ａ）及び（Ｂ）に示すように、入金部３に、折り畳み式のビルプレスシャッタ２５の変わりに、複数枚の板状部材を前後方向にスライドさせるスライド式のビルプレスシャッタ１１０を設けるようにしてもよい。
【０２０９】
このビルプレスシャッタ１１０は、例えば、３枚の長方形板状の部材１１１Ａ、１１１Ｂ、１１１Ｃを上下方向に連結した構造となっている。尚、ここでは一番上の部材１１１Ａを第１部材１１１Ａ、中間の部材１１１Ｂを第２部材１１１Ｂ、一番下の部材１１１Ｃを第３部材１１１Ｃと呼ぶ。
【０２１０】
これら第１部材１１１Ａ、第２部材１１１Ｂ、第３部材１１１Ｃは、それぞれ、収納部３Ｂの上面の開口の１／３程度の面積を有している。すなわち、これら第１部材１１１Ａ、第２部材１１１Ｂ、第３部材１１１Ｃは、３枚で、収納部３Ｂの上面の開口全体を覆うことができる程度の面積を有している。
【０２１１】
第１部材１１１Ａは、その前端部が、収納部３Ｂの前壁の上端部分に固定されている。またこの第１部材１１１Ａの下に位置する第２部材１１１Ｂは、第１部材１１１Ａに対して、連結部１１２Ａを介して前後方向にスライド可能に連結されている。
【０２１２】
またこの第２部材１１１Ｂの下に位置する第３部材１１１Ｃは、第２部材１１１Ｂに対して、連結部１１２Ｂを介して前後方向にスライド可能に連結されている。
【０２１３】
さらにこの第３部材１１１Ｃの下に、ビルプレス２１の上端部が位置していて、第３部材１１１Ｃは、ビルプレス２１の上端部に対して、連結部１１２Ｃを介して前後方向にスライド可能に連結されている。
【０２１４】
ビルプレスシャッタ１１０は、このような構成でなり、実際、ビルプレス２１が収納部３Ｂの前壁近傍に位置しているときには、第１部材１１１Ａの下に第２部材１１１Ｂ、第２部材１１１Ｂの下に第３部材１１１Ｃ、第３部材１１１Ｃの下にビルプレス２１が位置するように層状に重ねられて畳まれた状態となっている。
【０２１５】
この状態から、ビルプレス２１が閉方向（後方）にスライドしていくと、ビルプレスシャッタ１１０は、これに合わせて、第２部材１１１Ｂと第３部材１１１Ｃのそれぞれが後方にスライドするようにして展開していく。
【０２１６】
このように、ビルプレスシャッタ１１０は、ビルプレス２１の閉方向へのスライドにともなって、上下に重ねられて畳まれた状態から、後方に広がるように展開していき、ビルプレス２１と収納部３Ｂの前壁との間の内部機構領域Ａｒ２の上部を常に覆うようになっている。
【０２１７】
これにより、職員が、内部機構領域Ａｒ２内に誤って紙幣を投入したり、この内部機構領域Ａｒ２内に、紙幣以外の異物を投入したりすることを防ぐことができる。
【０２１８】
尚、各連結部１１２（１１２Ａ〜１１２Ｃ）については、各部材１１１（１１１Ａ〜１１１Ｃ）を前後方向にスライド自在に連結できる構成であればどのような構成であってもよい。
【０２１９】
具体的な例としては、連結部１１２Ａを、上側の第１部材１１１Ａに設けられた前後方向の溝（図示せず）と、下側の第２部材１１１Ｂの上面に突設された突起部（図示せず）とで構成する。
【０２２０】
そして、下側の第２部材１１１Ｂに設けられた突起部を上側の第１部材１１１Ａに設けられた溝にスライド自在に嵌合することで、上側の第１部材１１１Ａと下側の第２部材１１１Ｂとを連結するようにする。また、この場合、突起部を断面Ｔ字型に形成するなどして、溝から抜け落ちないようにする。他の連結部１１２Ｂ、１１２Ｃについても、同様の構成とする。
【０２２１】
尚、このようなビルプレスシャッタ１１０を、第２の実施の形態の入出金部１００に設けるようにしてもよい。
【０２２２】
また、例えば、図２６（Ａ）、（Ｂ）及び図２７に示すように、第１部材２６Ａと、この第１部材２６Ａより前後方向に長い（例えば２倍程度長い）第２部材１２０とを連結してなるビルプレスシャッタ１２１を設けるようにしてもよい。
【０２２３】
尚、ここでは、説明を簡単にする為、第２部材１２０を、第１部材２６Ａと同サイズの前部１２０Ａと、後部１２０Ｂとに分けている。
【０２２４】
すなわち、第２部材１２０は、後部１２０Ｂの分だけ、第１部材２６Ａより長くなっている。
【０２２５】
この第２部材１２０は、前部１２０Ａの前端部分が、連結部３１Ａ及び３１Ｂを介して、第１部材２６Ａの後端部と連結されている。またこの第２部材は、前部１２０Ａと後部１２０Ｂとの境界部分が、連結部１２２を介して、ビルプレス２１の前面の上端中央部分と連結されている。
【０２２６】
ここで、連結部１２２は、例えば、図２８（Ａ）及び（Ｂ）に示すように、第２部材１２０の下面に突設された２つの板状の軸受部１２３Ａ及び１２３Ｂと、ビルプレス２１の前面に突設された２つの板状の軸受部１２４Ａ及び１２４Ｂと、シャフト１２５とで構成されている。
【０２２７】
４つの軸受部１２３Ａ、１２３Ｂ、１２４Ａ、１２４Ｂのうち、第２部材１２０に設けられた軸受部１２３Ａ、１２３Ｂには、シャフト１２５を通す孔として、左右方向に貫通する円形の軸孔１２６が設けられている。
【０２２８】
これに対して、ビルプレス２１に設けられた軸受部１２４Ａ、１２４Ｂには、シャフト１２５を通す孔として、左右方向に貫通する楕円形の軸孔１２７が設けられている。軸孔１２７を楕円形とした理由は、第１の実施の形態と同様、ビルプレス２１を傾けることができるようにするためである。
【０２２９】
またビルプレス２１側に設けられた２つの軸受部１２４Ａ及び１２４Ｂの間隔は、第２部材１２０側に設けられた２つの軸受部１２３Ａ及び１２３Ｂの間隔より広くなっている。
【０２３０】
そして、ビルプレス２１側に設けられた２つの軸受部１２４Ａ及び１２４Ｂが、それぞれ第２部材１２０側に設けられた２つの軸受部１２３Ａ及び１２３Ｂの外側に位置する状態で、これら４つの軸受部１２３Ａ、１２３Ｂ、１２４Ａ、１２４Ｂの軸孔１２６、１２７にシャフト１２５が挿入されることで、ビルプレス２１と第２部材１２０とが連結されている。
【０２３１】
すなわち、第２部材１２０は、左右方向に延在するシャフト１２５を回転軸として回転自在に、ビルプレス２１と連結されている。
【０２３２】
ビルプレスシャッタ１２１は、このような構成でなり、実際、ビルプレス２１が収納部３Ｂの前壁近傍に位置しているときには、第１部材２６Ａの前端と第２部材１２０の後端とを近づけるようにして折り畳まれた状態となっている。このとき、第２部材１２０の後部１２０Ｂが、ビルプレス２１の上端部より上方に突出するようになっている。
【０２３３】
この状態から、ビルプレス２１が閉方向（後方）にスライドしていくと、ビルプレスシャッタ１２１は、第１部材２６Ａの前端と第２部材１２０の後端とを遠ざけるようにして展開していく。
【０２３４】
このとき、ビルプレスシャッタ１２１は、Ｖ字の開きを大きくするようにして展開していく。
【０２３５】
このように、ビルプレスシャッタ１２１は、ビルプレス２１の閉方向へのスライドにともなって、折り畳まれた状態から、後方に広がっていくように展開していき、ビルプレス２１と収納部３Ｂの前壁との間の内部機構領域Ａｒ２の上部を常に覆うようになっている。
【０２３６】
さらに、このビルプレスシャッタ１２１は、図２６に示すように、ビルプレス２１が収納部３Ｂの後壁に近づくと、第２部材１２０の後部１２０Ｂが、ビルプレス２１より後方に突出する。
【０２３７】
このとき、ビルプレス２１より後方に突出している部分、すなわち第２部材１２０の後部１２０Ｂが、ビルプレス２１と収納部３Ｂの後壁との間の部分の開口、すなわち投入口３Ａの上部を覆うことになる。
【０２３８】
こうすることで、このビルプレスシャッタ１２１は、内部機構領域Ａｒ２を覆うだけでなく、投入された紙幣をビルプレス２１がピックアップローラ２０に押し当てて、紙幣を１枚ずつ取り込んでいるときには、紙幣の取り込みが正常に行われるよう、投入口３Ａを覆うことができる。
【０２３９】
また、ビルプレス２１をピックアップローラ２０に押し当てている待機状態のときには、投入口３Ａを狭くすることにくわえて、このビルプレスシャッタ１２１により投入口３Ａを覆うことができる。
【０２４０】
これにより、待機時に、投入口３Ａから入金部３の収納部３Ｂ内に異物が進入することを、より確実に防ぐことができる。
【０２４１】
また、図２９に示すように、折り畳まれたときに上方に突出するビルプレスシャッタ１２１の後部１２０Ｂを覆うように、収納部３Ｂの上端の前端部分にカバー１２８を設けるなどしてもよい。このようにすれば、上方に突出する後部１２０Ｂの破損を防ぐことができる。
【０２４２】
尚、このようなビルプレスシャッタ１２１及びカバー１２８を、第２の実施の形態の入出金部１００に設けるようにしてもよい。
【０２４３】
［３−６．他の実施の形態６］
さらに、上述した第１の実施の形態では、入金部３に、ビルプレス２１と収納部３Ｂの前壁との間の内部機構領域Ａｒ２を覆うビルプレスシャッタ２５を設けるようにした。
【０２４４】
これに限らず、入金部３に、このビルプレスシャッタ２５を設けなくてもよい。この場合であっても、図１６に示すように、ビルプレス２１を待機スライド位置に位置させたときに、ビルプレス２１が取込口３Ｃを覆うので、取込口３Ｃに異物が入り込んでしまうことを防ぐことができる。
【０２４５】
この場合、ビルプレス２１の厚さを、待機スライド位置に位置するときに取込口３Ｃの上部を完全に覆う程度の厚さとすることが望ましい。
【０２４６】
第２の実施の形態の入出金部１００についても同様に、ビルプレスシャッタ２１を設けなくてもよい。
【０２４７】
［３−７．他の実施の形態７］
さらに、ここまでの説明では、媒体プレス部の具体的な例としてビルプレス２１、シャッタの具体的な例としてビルプレスシャッタ２５、１１０、１２１を用いるようにしたが、これに限らず、これらと同様に機能するものであれば、これらビルプレス２１及びビルプレスシャッタ２５、１１０、１２１とは異なる機構の媒体プレス部及びシャッタを用いるようにしてもよい。
【０２４８】
［３−８．他の実施の形態８］
さらに、上述した第１の実施の形態では、本発明を、職員が操作する職員操作型端末としての紙幣処理装置１に適用したが、本発明は、これに限らず、入金部３と同様に機能する機構を有する装置であれば、例えば、ＡＴＭなど、種々の装置に適用することができる。
【０２４９】
第２の実施の形態についても同様であり、紙幣処理装置１０１に限らず、入出金部１００と同様に機能する機構を有する装置であれば、適用することができる。
【０２５０】
また、上述した第１の実施の形態では、本発明を、紙幣を扱う紙幣処理装置１に適用したが、これに限らず、紙、切符など、紙幣以外の媒体を扱う媒体処理装置であっても、入金部３と同様に機能する機構を有する媒体処理装置であれば、適用することができる。
【０２５１】
第２の実施の形態についても同様であり、紙幣処理装置１０１に限らず、紙、切符など、紙幣以外の媒体を扱う媒体処理装置であっても、入出金部１００と同様に機能する機構を有する媒体処理装置であれば、適用することができる。
【０２５２】
［３−９．他の実施の形態９］
さらに、本発明は、上述した第１及び第２の実施の形態と、上述した他の実施の形態とに限定されるものではない。すなわち本発明は、上述した第１及び第２の実施の形態と上述した他の実施の形態の一部または全部を任意に組み合わせた実施の形態や、一部を抽出した実施の形態にもその適用範囲が及ぶものである。
【産業上の利用可能性】
【０２５３】
本発明は、紙幣を扱う紙幣処理装置などの装置で広く利用することができる。
【符号の説明】
【０２５４】
１、１０１……紙幣処理装置、３、２００……入金部、３Ａ、２００Ｂ……投入口、３Ｂ、２００Ａ……収納部、３Ｃ、２００Ｃ……取込口、２０、２０１……ピックアップローラ、２１、２０２……ビルプレス、２５、１１０、１２１……ビルプレスシャッタ、１００……入出金部。
【図１】
2014238785.tif 000003
【図２】
2014238785.tif 000004
【図３】
2014238785.tif 000005
【図４】
2014238785.tif 000006
【図５】
2014238785.tif 000007
【図６】
2014238785.tif 000008
【図７】
2014238785.tif 000009
【図８】
2014238785.tif 000010
【図９】
2014238785.tif 000011
【図１０】
2014238785.tif 000012
【図１１】
2014238785.tif 000013
【図１２】
2014238785.tif 000014
【図１３】
2014238785.tif 000015
【図１４】
2014238785.tif 000016
【図１５】
2014238785.tif 000017
【図１６】
2014238785.tif 000018
【図１７】
2014238785.tif 000019
【図１８】
2014238785.tif 000020
【図１９】
2014238785.tif 000021
【図２０】
2014238785.tif 000022
【図２１】
2014238785.tif 000023
【図２２】
2014238785.tif 000024
【図２３】
2014238785.tif 000025
【図２４】
2014238785.tif 000026
【図２５】
2014238785.tif 000027
【図２６】
2014238785.tif 000028
【図２７】
2014238785.tif 000029
【図２８】
2014238785.tif 000030
【図２９】
2014238785.tif 000031
【図３０】
2014238785.tif 000032
【図３１】
2014238785.tif 000033
【図３２】
2014238785.tif 000034
【図３３】
2014238785.tif 000035
【図３４】
2014238785.tif 000036
【図３５】
2014238785.tif 000037
【図３６】
2014238785.tif 000038
【図３７】
2014238785.tif 000039
【図３８】
2014238785.tif 000040